(57)【要約】【課題】  節電効果を高めることができる、両面原稿を読取る画像読取装置を提供する。【解決手段】  画像読取装置においては、まず、接触式センサ（ＣＩＳ）の作動を停止するために、ＣＩＳのゲインの設置値を退避する（Ｓ１２）。その後、ＣＩＳの作動を停止する（Ｓ１３）。次原稿が読取り位置に到達すると（Ｓ１４）、ＣＩＳの作動を開始し（Ｓ１５）、ＲＡＭに退避していた設定値を取出し、ＣＩＳに設定する（Ｓ１６）。その状態で、原稿の裏面を読取る（Ｓ１７）。この処理を全ての原稿を読取るまで（Ｓ１１でＹＥＳ、Ｓ１８になるまで）続ける。【選択図】      図３
2006157479.tif 000002
【特許請求の範囲】
【請求項１】
原稿の裏面を読取るための接触式センサと、
前記接触式センサを作動させるための作動信号を送信する作動信号送信装置と、
複数の前記原稿を前記接触式センサの読取り位置に給紙する給紙装置と、
前記給紙装置による前記複数の原稿の供給時に、前記接触式センサが前記原稿を読取らない休止間隔を検出する休止間隔検出手段と、
前記休止間隔検出手段が前記休止間隔を検出したとき、前記作動信号送信装置の作動を停止するよう制御する制御手段とを含む、画像読取装置。
【請求項２】
前記接触式センサで前記原稿を読むために前記原稿を照射する光源をさらに含み、
前記制御手段は、前記作動信号送信装置の作動を停止しているときも、前記光源の照射を続けるよう前記光源を制御する、請求項１に記載の画像読取装置。
【請求項３】
さらに、前記接触式センサの原稿読取り時の読取り設定値を格納する設定値格納手段を含み、
前記制御手段は、前記作動信号送信装置の作動を停止する前に、前記接触式センサの読取り設定値を前記設定値格納手段に格納する、請求項１または２に記載の画像読取装置。
【請求項４】
前記休止間隔検出手段は、前記原稿の先端を検出する原稿検出手段と、
前記原稿検出手段が前記原稿の先端を検出した後の、所定の時間経過を設定する経過時間設定手段を含み、
前記経過時間設定手段の設定した経過時間後、次に前記原稿検出手段が前記原稿を検出する迄の間を前記休止間隔として検出する、請求項１から３のいずれかに記載の画像読取装置。
【発明の詳細な説明】
【技術分野】
【０００１】
この発明は、画像読取装置に関し、特に、原稿の両面を読取る画像読取装置に関する。
【背景技術】
【０００２】
画像読取装置において、無駄な電力消費を低減する構成がたとえば、特開平１０−２８５３１０号公報（特許文献１）に開示されている。
【０００３】
同公報によれば画像読取装置において、装置内部を機能別に複数の機能ブロックに細分化し、要求される動作、待機状態等の装置の状態に応じて、必要な機能ブロックのみに必要な電源を供給している。
【特許文献１】特開平１０−２８５３１０号公報（段落番号００１０等）
【発明の開示】
【発明が解決しようとする課題】
【０００４】
従来の無駄な電力消費を低減する画像読取装置は上記のように構成されていた。
【０００５】
しかしながら、従来の画像読取装置においては、原稿の両面読込み時には、１ジョブ終了するまでは、原稿の裏面を読込む接触式センサ（Contact Image Sensor：ＣＩＳ）の電源を入れたままになっており、消費電力が増えるという問題があった。
【０００６】
この発明は、上記のような問題点に着目してなされたもので、節電効果を高めることができる、両面原稿を読取る画像読取装置を提供することを目的とする。
【課題を解決するための手段】
【０００７】
この発明に係る画像読取装置は、原稿の裏面を読取るための接触式センサと、接触式センサを作動させるための作動信号を送信する作動信号送信装置と、複数の原稿を接触式センサの読取り位置に給紙する給紙装置と、給紙装置による複数の原稿の供給時に、接触式センサが原稿を読取らない休止間隔を検出する休止間隔検出手段と、休止間隔検出手段が休止間隔を検出したとき、作動信号送信装置の作動を停止するよう制御する制御手段とを含む。
【０００８】
好ましくは、接触式センサで原稿を読むために原稿を照射する光源をさらに含み、制御手段は、作動信号送信装置の作動を停止しているときも、光源の照射を続けるよう光源を制御する。
【０００９】
さらに好ましくは、接触式センサの原稿読取り時の読取り設定値を格納する設定値格納手段を含み、制御手段は、作動信号送信装置の作動を停止する前に、接触式センサの読取り設定値を設定値格納手段に格納する。
【００１０】
さらに好ましくは、休止間隔検出手段は、原稿の先端を検出する原稿検出手段と、原稿検出手段が原稿の先端を検出した後の、所定の時間経過を設定する経過時間設定手段を含み、経過時間設定手段の設定した経過時間後、次に原稿検出手段が原稿を検出する迄の間を休止間隔として検出する。
【発明の効果】
【００１１】
この発明においては、複数の原稿の読取り時に、裏面を読取る接触式センサが原稿を読取らない休止間隔を検出し、その期間は作動信号の送信を停止して接触式センサの作動を停止するため、休止間隔においては、接触式センサの作動電力が不要になる。
【００１２】
その結果、節電効果を高めることができる、両面原稿を読取る画像読取装置を提供できる。
【発明を実施するための最良の形態】
【００１３】
以下、この発明の実施の形態を、図面を参照して説明する。図１はこの発明の一実施の形態に係る画像読取装置の全体構成を示す模式図である。
【００１４】
図１を参照して、画像読取装置１０は、複数の原稿１２を載置するための給紙トレイ１１と、給紙トレイ１１上に載置された原稿をその上にある原稿から１枚ずつ順に原稿読取位置１８へ搬送する給紙装置１３と、給紙装置１３の先端部に設けられ、原稿１２の先端を検出する、原稿検出手段として作動する、タイミングスイッチ１７と、原稿１２の表面側を、図示のないＣＣＤで読取るための、原稿読取位置１８と、原稿の裏面を読取るための接触式センサ（以下、「ＣＩＳ」と省略する）１９と、ＣＩＳ１９用のシェーディング補正を行なうシェーディングローラ２０と、図示の無いＣＣＤのシェーディング補正を行なう基準板２１と、読取った原稿を排出する排出ローラ２２と、排出された原稿を収容する排出トレイ２３とを含む。
【００１５】
給紙装置１３は、原稿を給紙トレイ１１から取出すための給紙コロ１４と、給紙コロ１４で取出された原稿を原稿読取位置１８へ搬送する、搬送路１５ａ〜１５ｃ、給紙ローラ対１６ａ、１６ｂおよび給紙ローラ１６ｃ、１６ｄを含む。ＣＩＳ１９は、ＣＩＳ本体と、ＣＩＳ本体で原稿を読取るために原稿に光を照射する光源とを含む。
【００１６】
図２は画像読取装置１０において、原稿の裏面側を読取るＣＩＳ１９の制御部の要部を示すブロック図である。図２を参照して、画像読取装置１０の制御部３０は、休止間隔検出手段および制御手段としても作動する、画像読取装置１０全体を制御するＣＰＵ３１と、ＣＰＵ３１に接続された、給紙部１３、ＣＩＳ本体１９ａと光源１９ｂとからなるＣＩＳ１９、タイミングスイッチ１７、ＣＩＳ１９を作動するための作動信号を出力する、作動信号送信装置３２および設定値格納手段として作動するＲＡＭ３５を含む。ＣＰＵ３１は、他の要素も制御するが、ここでは、ＣＩＳ１９に関連する部分以外は省略する。
【００１７】
図３は、画像読取装置１０のＣＰＵ３１が行なう動作を示すフローチャートである。図１から図３を参照して、この実施の形態における、画像読取装置１０の動作について説明する。
【００１８】
この実施の形態においては、画像読取装置１０において、無駄な電力の消費を無くすために、複数の原稿を読取るときに、原稿の裏面側を読取るためのＣＩＳ１９の作動を、原稿と原稿との間において、停止させる。
【００１９】
なお、このとき、ＣＩＳ１９で読取るための光源は点灯したままにしておくことで、再度ＣＩＳ１９の電源を入れたときに、光源の安定を待つことなく読込みを再開できる。また、ＣＩＳ１９による原稿の読取りには、ＡＧＣ（Auto Gain Controller)に対する、所定のゲインの設定が必要であるが、一旦停止後、再度ＣＩＳ１９を作動したときに、その設定を容易に行なうために、その読取り設定値を作動の停止前にＲＡＭ３５に格納するようにしている。
【００２０】
まず、図示の無いホストコンピュータ等から、画像読取装置１０を用いた、画像読取りスタートの指示があると、給紙装置１３により、１枚目の原稿が搬送されてくる。まず、ＣＩＳ１９の作動を停止するために、ＣＩＳ１９のゲインの設置値をＲＡＭ３５に退避する（図３においてステップＳ１１でＮＯ、Ｓ１２、以下、ステップを省略する）。その後、ＣＩＳ１９の作動を停止する（Ｓ１３）。
【００２１】
次原稿が読取り位置に来たか否かを、タイミングスイッチ１７で検知し、次原稿が読取り位置に到達すると（Ｓ１４）、ＣＩＳ１９の作動を開始し（Ｓ１５）、ＲＡＭ３５に退避していた設定値をＲＡＭ３５から取出し、ＣＩＳ１９に設定する（Ｓ１６）。その状態で、原稿の裏面を読取る（Ｓ１７）。この処理を全ての原稿を読取るまで（Ｓ１１でＹＥＳ、Ｓ１８になるまで）続ける。
【００２２】
次に、ＣＩＳ１９が原稿を読取らない、休止間隔を検出するための、ＣＩＳ１９の作動を停止するタイミングの決定方法について説明する。図４は、タイミングスイッチ１７の作動と、ＣＩＳを作動させるために作動信号送信装置３２が出力する作動信号の出力タイミングを示すタイミングチャートである。図４を参照して、タイミングスイッチ１７が原稿の先端を検出すると、タイミングスイッチ１７はＯＮとなり、同時に作動信号も出力される（ＯＮ、図中Ａで示す）。タイミングスイッチ１７は、一定時間でＯＦＦされるが（図中Ｂ）、その後も作動信号は、経過時間設定手段が設定した、所定の経過時間が経過するまでＯＮし、所定の経過時間が経過すると、ＯＦＦする（図中Ｃ）。作動信号がＯＦＦしてから次にタイミングスイッチ１７が次の原稿の先端を検出するまでが、ＣＩＳ１９の作動が停止される紙間に対応する、休止間隔となる。すなわち、図４に示すように、タイミングＣからＡまでの、矢印ａで示す期間が休止間隔となる。
【００２３】
なお、ＣＰＵ３１は、この経過時間設定手段として作動するが、その設定時間は、給紙される用紙のサイズ等によって、図示の無い入力部を介して、外部から設定可能としてもよい。
【００２４】
以上のように、この実施の形態においては、原稿の読取りが行なわれない紙間において、ＣＩＳの作動を停止するようにしたので、画像読取装置において節電効果を上げることができる。
【００２５】
次にこの実施の形態における節電効果の一例について説明する。たとえば、ＣＩＳ１９には、１２Ｖと５Ｖの２つの電源が供給されており、毎分５０枚（Ａ４横）の画像形成が可能な画像形成装置で、周速２３０ｍｍ／ｓｅｃ、紙間０．１７８ｓｅｃの条件で原稿を読取ったとする。この場合の節電効果は、
（１２＋５）Ｖ×０．１７８／６０／６０＝０．０００８４
すなわち、１回当り、０．０００８４Ｗ（ワット）の節電効果が得られる。１日あたり、１１枚の原稿（紙間１０回）を１００回読取るとすると、０．０００８４×１０×１００＝０．８４Ｗ／日の節電効果が得られる。
【００２６】
なお、上記実施の形態においては、ＣＩＳと光源とが同じ電源であるため、ＣＩＳを作動するクロックの供給を停止してＣＩＳの動作を停止するようにしたが、これに限らず、ＣＩＳと光源とを別電源とし、ＣＩＳ自体の電源をオフするようにしてもよい。
【００２７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２８】
【図１】画像読取装置の全体構成を示す図である。
【図２】画像読取装置の制御部の要部を示すブロック図である。
【図３】画像読取装置の動作を示すフローチャートである。
【図４】タイミングスイッチの作動とＣＩＳの作動とを示すタイミングチャートである。
【符号の説明】
【００２９】
１０  画像読取装置、１１  給紙トレイ、１２  原稿、１３  給紙装置、１４  給紙コロ、１５  搬送路、１６  給紙ローラ、１７  タイミングスイッチ、１８  原稿読取位置、１９  ＣＩＳ（接触式センサ）、２０  シェーディングローラ、２１  基準板、２２  排出ローラ、２３  排出トレイ、３０  制御部、３１  ＣＰＵ。
【図１】
2006157479.tif 000003
【図２】
2006157479.tif 000004
【図３】
2006157479.tif 000005
【図４】
2006157479.tif 000006